(57)【要約】【課題】フェルトの繊維のほつれを抑えると共に、歩き易さを向上させることができる靴底材を提供する。【解決手段】靴底材２は、釣用靴の靴本体の底面に設けられる靴底材であって、フェルト製の靴底材本体９と、靴底材本体９の側面に形成され靴底材本体９を補強する補強層１０とを備える。そして、少なくとも補強層１０を通る切り込み１２が、靴底材２に形成されている。【選択図】図２
2008006036.tif 000002
【特許請求の範囲】
【請求項１】
釣用靴の靴本体の底面に設けられる靴底材であって、
フェルト製の靴底材本体と、
前記靴底材本体の側面に形成され、前記靴底材本体を補強する補強層と、
を備え、
少なくとも前記補強層を通る切り込みが形成されている
靴底材。
【請求項２】
前記補強層は、フェルトが溶融硬化されて形成されている
請求項１に記載の靴底材。
【請求項３】
前記補強層は、フェルトがゴム又は合成樹脂によって固着されて形成されている、
請求項１に記載の靴底材。
【請求項４】
少なくとも前記補強層を通る切り込みが、側面に沿って複数形成されている、
請求項１から３のいずれかに記載の靴底材。
【請求項５】
少なくとも前記補強層を通る切り込みが、側面の一側部から他側部まで貫通するように形成されている、
請求項１から３のいずれかに記載の靴底材。
【請求項６】
靴本体と、
前記靴本体の底面に設けられた請求項１から５のいずれかに記載の靴底材と
を備える釣用靴。
【発明の詳細な説明】
【技術分野】
【０００１】
本発明は、靴底材、特に、釣用靴の靴本体の底面に設けられる靴底材、および、釣用靴に関する。
【背景技術】
【０００２】
磯釣りや渓流釣り等においては、釣人は濡れてコケの生えた岩場や水中を歩くことになる。そこで、このような滑り易い箇所でも歩きやすいように工夫された釣用靴が近年利用されている。この釣用靴は、一般的に、靴本体と、靴本体の底面に装着されたフェルト製の靴底材とを有する。フェルト製の靴底材は、合繊繊維フェルトを靴底形状に加工したものであり、靴本体に接着され或いは面ファスナーなどで脱着自在に装着される。このように靴底に装着されるフェルト製の靴底材が、濡れた釣船の甲板や濡れた苔の生えた岩場など滑りやすい環境においても十分な滑り止め効果を奏し、釣人は安全に歩行することが可能となる。
【０００３】
一方、このようなフェルト製の靴底材では、フェルトの繊維がほつれ易いという問題がある。そこで、フェルトのほつれを防止するための補強層を靴底材の側面に形成し、靴底材の耐久性を向上させる技術が提案されている（特許文献１参照）。
【特許文献１】特開２００４−２７５１９９号公報
【発明の開示】
【発明が解決しようとする課題】
【０００４】
しかし、上記のような補強層が靴底材の側面に形成されると、靴底材の屈曲性を低下させ、歩き易さを損なう恐れがある。
【０００５】
本発明の課題は、フェルトの繊維のほつれを抑えると共に、歩き易さを向上させることができる靴底材を提供することにある。
【課題を解決するための手段】
【０００６】
第１発明に係る靴底材は、釣用靴の靴本体の底面に設けられる靴底材であって、フェルト製の靴底材本体と、靴底材本体の側面に形成され靴底材本体を補強する補強層とを備える。そして、少なくとも補強層を通る切り込みが、靴底材に形成されている。
【０００７】
この靴底材では、靴底材本体の側面に形成された補強層によって、フェルトの繊維のほつれを抑えることができる。また、靴底材には、少なくとも補強層を通るように切り込みが形成されているため、補強層による屈曲性の低下が抑えられ、歩き易い靴底材とすることができる。
【０００８】
第２発明に係る靴底材は、第１発明の靴底材であって、補強層は、フェルトが溶融硬化されて形成されている。
【０００９】
この靴底材では、フェルトが溶融硬化されることにより、補強層が形成される。これにより、フェルトの繊維同士が溶着してフェルトがほつれ難くなった補強層を形成することができる。また、靴底材本体の側面を加熱することによって、補強層を容易に形成することができる。
【００１０】
第３発明に係る靴底材は、第１発明の靴底材であって、補強層は、フェルトがゴム又は合成樹脂によって固着されて形成されている。
【００１１】
この靴底材では、フェルトがゴム又は合成樹脂によって固着された補強層が形成される。これにより、フェルトの繊維同士がゴム又は合成樹脂によって固着され、フェルトがほつれ難くなった補強層を形成することができる。また、靴底材本体の側面にゴム又は合成樹脂を付着させることによって、補強層を容易に形成することができる。
【００１２】
第４発明に係る靴底材は、第１発明から第３発明のいずれかの靴底材であって、少なくとも補強層を通る切り込みが、側面に沿って複数形成されている。
【００１３】
この靴底材では、側面に沿って複数形成された切り込みによって、屈曲性をより向上させることができる。これにより、より歩き易い靴底材とすることができる。
【００１４】
第５発明に係る靴底材は、第１発明から第３発明のいずれかの靴底材であって、少なくとも補強層を通る切り込みが、側面の一側部から他側部まで貫通するように形成されている。
【００１５】
この靴底材では、切り込みが、底面の一側部から他側部まで貫通するように形成されているため、１つの切り込みを形成することによって、一側部側の補強層と、他側部側の補強層との両方を通る切り込みを形成することができる。これにより、靴底材に切り込みを形成する際の工数を低減させることができる。
【００１６】
第６発明に係る釣用靴は、靴本体と、靴本体の底面に設けられた請求項１から５のいずれかに記載の靴底材とを備える。
【００１７】
この釣用靴では、靴底材の靴底材本体の側面に形成された補強層によって、フェルトの繊維のほつれを抑えることができる。また、靴底材には、少なくとも補強層を通るように切り込みが形成されているため、補強層による屈曲性の低下が抑えられ、歩き易い釣用靴とすることができる。
【発明の効果】
【００１８】
本発明に係る靴底材では、靴底材本体の側面に形成された補強層によって、フェルトの繊維のほつれを抑えることができる。また、靴底材には、少なくとも補強層を通るように切り込みが形成されているため、補強層による屈曲性の低下が抑えられ、歩き易い靴底材とすることができる。
【発明を実施するための最良の形態】
【００１９】
＜第１実施形態＞
本発明の第１実施形態に係る釣用靴１を図１に示す。この釣用靴１は、後述の靴底材２を備えることによって、釣り場の歩行における高い滑止効果が発揮されるようになっており、川釣り等において釣人が釣り場を安全に歩行等することができるようにするものである。なお、釣人は、左右対称に形成された一対の釣用靴１を着用するが、説明の簡略化のために、以下では、一方の釣用靴１の構成について説明する。
【００２０】
〔釣用靴１の構成〕
釣用靴１は、靴本体３と、靴本体３の底面に設けられた靴底材２とを備えている。
【００２１】
靴本体３は、使用者である釣人の足が挿入され足を包み込む部分であり、靴本体３の外表面を構成する表面層４と、足が挿入される内部空間の内面を構成する内布層（図示せず）と、靴本体３の底部を構成するミッドソール部５とを有する。
【００２２】
表面層４は、靴本体３の骨格を形成しており、その内側に内布層が形成されている。表面層４としては、例えば、天然ゴム（ＮＲ）、ポリ塩化ビニル（ＰＶＣ）その他合成ゴム等が採用される。また、内布層は、ナイロンその他ポリエステルにより構成される。
【００２３】
なお、靴本体３の先端部（爪先側）や後端部（踵側）を被うように補強ゴム部６，７が形成されており、当該部分を補強している。補強ゴム部６，７としては、例えば、天然ゴム（ＮＲ）、ポリ塩化ビニル（ＰＶＣ）その他合成ゴム等が採用される。
【００２４】
ミッドソール部５は、上述したように靴本体３の底部を構成しており、その底面には、靴底材２が装着されるための凹部が形成されている。
【００２５】
靴底材２は、靴本体３の底面に着脱自在に取り付けられる。靴底材２は、図２および図３に示すように、板状に形成されており、靴本体３の底面に対応した外形を有している。なお、図２は、靴底材２を斜め上方からみた斜視図であり、図３は、靴底材２を下方からみた底面図である。なお、靴底材２の厚さ寸法は、本実施形態では１５ｍｍに設定されている。ただし、この厚さ寸法は、８．０ｍｍ〜２０．０ｍｍの範囲で適宜設定され得る。靴底材２は、靴底材本体９と、補強層１０と、取付部材１１とを備えている。
【００２６】
靴底材本体９は、フェルトを主成分として構成されている。つまり、靴底材本体９は、繊維が立体的に且つ方向の規則性なく集合されることによって構成されている。この繊維の種類は、例えばナイロンその他ポリエステル等の合成繊維のほか、やしがら繊維や麻等の天然繊維が採用され得る。
【００２７】
補強層１０は、靴底材本体９の側面に形成されており、靴底材本体９を補強するものである。この補強層１０は、フェルトが溶融硬化されることにより形成されている。具体的には、この補強層１０は、次のようにして形成される。まず、靴底材本体９の側面が、靴底材本体９のフェルトの繊維を構成する材料の融点より高い温度で加熱されることにより、靴底材本体９の側面の表面部分が溶融する。その後、靴底材本体９が冷却又は常温で放置されることにより、溶融した繊維が溶着した状態で硬化し、繊維が結合した状態となる。これにより、フェルトの繊維がほつれ難くなった補強層１０が形成される。なお、本実施形態では、靴底材本体９の側面の全周に補強層１０が形成されているが、部分的に形成されてもよい。
【００２８】
取付部材１１は、靴底材本体９の上面に設けられている。取付部材１１は、シート状の部材であって、靴底材本体９の上面を覆っている。取付部材１１は、例えば、ナイロンその他ポリエステル等の合成繊維を含む不織布からなり、靴底材２をミッドソール部５の底面に着脱自在に取り付けるための部材である。本実施形態では、この取付部材１１とミッドソール部５の底面との間に面ファスナー機構が構成されている。これにより、靴底材２は、一定の保持力でミッドソール部５に着脱自在に保持される。
【００２９】
また、この靴底材２では、靴底材２の側面に、複数の切り込み１２が設けられている。なお、図２および図３では、１つの切り込み１２にのみ符号を付して他は省略している。これらの切り込み１２は、靴底材２の側面に沿って設けられており、特に、靴底材２の側面のうち足の内側と外側に相当する部分に沿って設けられている。各切り込み１２は、靴底材２の幅方向に補強層１０を通り、その内側の靴底材本体９に達するように形成されている。本実施形態では、各切り込み１２は、幅方向に靴底材２を貫通しておらず、靴底材２の側面の表面部分近傍のみに設けられている。なお、切り込み１２は、靴底材２の幅方向に平行に設けられている。
【００３０】
また、図３に示すように、各切り込み１２は、靴底材２の底面から厚さ方向（図１および図２における上下方向）に平行に設けられている。本実施形態では、切り込み１２の上端は靴底材２の上面までは達しておらず、切り込み１２は、靴底材２の底面から厚さ方向の途中までに亘って形成されている。
【００３１】
〔特徴〕
この釣用靴１では、靴底材本体９の側面に形成された補強層１０によって、フェルトの繊維がほつれ難くなっており、靴底材２の耐久性が向上している。
【００３２】
また、補強層１０を通り靴底材２の底面まで貫通するように複数の切り込み１２が形成されているため、靴底材２の屈曲性、特に、下に凸に屈曲する方向における屈曲性が向上している。このため、靴底材２が歩行時の足裏の姿態に追従し易くなっており、歩き易い釣用靴１となっている。
【００３３】
＜第２実施形態＞
〔構成〕
本発明の第２実施形態に係る釣用靴が備える靴底材１３を図４に示す。図４は、靴底材１３を下方から見た底面図である。なお、靴本体は上記の第１実施形態の靴本体３の構成と同様であるため説明を省略する。
【００３４】
この靴底材１３には、靴底材１３の側面に、複数の切り込み１４が設けられている。なお、図４では、１つの切り込み１４にのみ符号を付し他は省略している。各切り込み１４は、靴底材１３の幅方向に補強層１０を通り、その内側の靴底材本体９を幅方向に貫通し、反対側の補強層１０に達するように形成されており、幅方向に靴底材１３を貫通するように形成されている。すなわち、靴底材１３の側面の一側部から他側部まで貫通するように切り込み１４が設けられている。なお、切り込み１４は、靴底材１３の幅方向に平行に設けられている。
【００３５】
また、各切り込み１４は、第１実施形態の切り込み１２と同様に、靴底材１３の底面から厚さ方向に平行に設けられている。
【００３６】
靴底材１３の他の構成については第１実施形態の靴底材２と同様である。
【００３７】
〔特徴〕
この釣用靴が備える靴底材１３では、第１実施形態に係る靴底材２と同様に、耐久性が向上していると共に、屈曲性が向上している。
【００３８】
また、各切り込み１４が幅方向に靴底材１３を貫通するように形成されているため、切り込み１４を形成するための工数を低減することができる。このため、切り込み１４を施す際の加工が容易である。
【００３９】
＜他の実施形態＞
（１）
上記の実施形態では、フェルトの溶融硬化によって補強層１０が形成されているが、ゴム又は合成樹脂が靴底材本体９の側面に付着されることによって、ゴム又は合成樹脂によってフェルトの繊維が互いに固着された補強層１０が形成されてもよい。この場合も上記の実施形態と同様に靴底材２，１３の耐久性を向上させることができる。
【００４０】
（２）
上記の実施形態では、切り込み１２，１４が補強層１０の内側の靴底材本体９にまで達しているが、屈曲性を向上させる観点からは、少なくとも補強層１０を通るように形成されればよく、切り込み１２，１４が補強層１０のみを通るように形成されてもよい。
【００４１】
（３）
上記の実施形態では、切り込み１２，１４は、靴底材２，１３の幅方向に平行に設けられているが、これと異なる方向に切り込み１２，１４が設けられてもよい。
【００４２】
また、切り込み１２，１４の形状は直線である場合に限らず、曲線状の形状であってもよく、図５に示すように波形の形状の切り込み１５が形成されてもよい。
【００４３】
（４）
上記の第１実施形態では、靴底材２の側面のうち足の内側と外側に相当する部分に沿って切り込み１２が形成されているが、靴底材２の側面の全周に切り込み１２が設けられてもよい。
【００４４】
（５）
上記の実施形態では、切り込み１２，１４の上端は靴底材２の上面まで達していないが、切り込み１２の上端が靴底材２の上面まで達していてもよい。また、切り込み１２が靴底材本体９の下面から上面まで達しているが取付部材１１には達しないように形成されてもよい。
【産業上の利用可能性】
【００４５】
本発明は、フェルトの繊維のほつれを抑えると共に、歩き易さを向上させることができる効果を有し、靴底材および釣用靴として有用である。
【図面の簡単な説明】
【００４６】
【図１】釣用靴の外観斜視図。
【図２】靴底材の外観斜視図。
【図３】第１実施形態に係る靴底材の底面図。
【図４】第２実施形態に係る靴底材の底面図。
【図５】他の実施形態に係る靴底材の底面図。
【符号の説明】
【００４７】
１                釣用靴
２，１３          靴底材
３                靴本体
９                靴底材本体
１０              補強層
１２，１４，１５  切り込み
【図１】
2008006036.tif 000003
【図２】
2008006036.tif 000004
【図３】
2008006036.tif 000005
【図４】
2008006036.tif 000006
【図５】
2008006036.tif 000007